(57)【要約】      （修正有）【課題】従来の医療用殺菌消毒器具のデメリットを克服した，新たな医療用殺菌消毒器具を提供する。【解決手段】医療用殺菌消毒器具１は，消毒液が入った消毒液容器２と，皮膚表面の創傷部や感染部位などを拭き取る等して殺菌消毒を行なう拭き取り具３と，からなり，消毒液容器２と拭き取り具３が嵌合等の可逆的結合手段により一体となって使用される。消毒液容器２は，消毒液が入った容器部２ａと，容器部内圧力が上昇しても開放状態となることがない蓋部２ｂと，からなっている。拭き取り具３は，把持部３ａと，拭き取り部３ｂと，からなっている。さらに，消毒液容器２と拭き取り具３は，それぞれ，相互に可逆的に結合可能な結合部２ｃ，３ｃを備え，結合部２ｃ，３ｃの結合によって蓋部２ｂの構造が変化して開放状態となり，容器部２ａ内の消毒液が拭き取り部３ｂへ浸潤する。【選択図】図１
2015226722.tif 000002
【特許請求の範囲】
【請求項１】
消毒液が入った消毒液容器と，皮膚表面を拭き取って殺菌消毒を行なう拭き取り具とからなり，前記消毒液容器と前記拭き取り具が可逆的結合手段により一体となって使用される医療用殺菌消毒器具であって， 
前記消毒液容器は，消毒液が入った容器部と，容器部内圧力が上昇しても開放状態となることがない蓋部と，からなり， 
前記拭き取り具は，把持部と，拭き取り部と，からなり，
さらに，前記消毒液容器と前記拭き取り具は，それぞれ，相互に可逆的に結合可能な結合部を備え，前記結合部の結合によって前記蓋部の構造が変化して開放状態となり，前記容器部内の消毒液が前記拭き取り部へ浸潤することを特徴とする医療用殺菌消毒器具。
【請求項２】
消毒液容器側の前記結合部（消毒容器結合部）は，円筒状ないし多角柱状に形成され，かつ，前記蓋部の先端面に当該蓋部と連通した状態で設けられ，
前記蓋部は，消毒液容器結合部の内径部分に嵌入される円柱状ないし多角柱状の栓体本体と，前記栓体本体と一体に形成され，消毒液容器結合部の内径よりも大きい径を有する円板状ないし多角板状の係止部と，からなる栓体をさらに備え，
拭き取り具側の前記結合部（拭き取り具結合部）は，消毒液容器結合部の外径と略同一の内径を有する円筒状ないし多角柱状に形成されると共に，当該拭き取り具結合部もしくはその内部に設けられた押圧部材により，消毒容器結合部と結合した際，栓体が外れ開放状態となり，消毒液が拭き取り部へと浸潤することを特徴とする請求項１に記載の医療用殺菌消毒器具。
【請求項３】
消毒容器結合部は，円筒状に形成され，かつ，前記蓋部の先端面に当該蓋部と連通した状態で設けられ，
前記蓋部は，弾性部材によって消毒液容器側の前記結合部を塞ぐ方向に付勢された球状の栓体をさらに備え，
拭き取り具結合部は，消毒液容器側の前記結合部の外径と略同一の内径を有する円筒状に形成されると共に，当該拭き取り具結合部もしくはその内部に設けられた押圧部材により，消毒容器結合部と結合した際，栓体が外れ開放状態となり，消毒液が拭き取り部へと浸潤することを特徴とする請求項１に記載の医療用殺菌消毒器具。
【請求項４】
請求項１から３のいずれか１項に記載の医療用殺菌消毒器具に用いられることを特徴とする消毒液容器。
【請求項５】
請求項１から３のいずれか１項に記載の医療用殺菌消毒器具に用いられることを特徴とする拭き取り具。
【発明の詳細な説明】
【技術分野】
【０００１】
本発明は，医療用殺菌消毒器具に関する。
【背景技術】
【０００２】
医療現場において，皮膚表面の創傷部や感染部位などは，ポビドンヨード等の消毒液を染み込ませた綿棒やガーゼ等による拭き取りによって殺菌消毒が行われているのが一般的である。
従来，消毒液と拭き取りを行なう綿棒とが一体となった製品が開発され，広く用いられている（特許文献１，２，非特許文献１）。
【先行技術文献】
【特許文献】
【０００３】
【特許文献１】特開２００４−００１７８４号公報
【特許文献２】特開２００８−１１９４１５号公報
【非特許文献】
【０００４】
【非特許文献１】ハクゾウメディカル社製，医療用殺菌消毒剤（URL：http://www.hakuzo.com/doc/item/1/main3.pdf）
【発明の概要】
【発明が解決しようとする課題】
【０００５】
先行技術文献に開示され，現在，医療現場において用いられている医療用殺菌消毒器具は，多少の細かな違いはあるものの，そのほとんどが同様の構成に基づくものである。
すなわち，これらの医療用殺菌消毒器具は，２つの空間に仕切られたプラスチック製の袋に入った製品であり，袋の一方の空間に消毒液が，他方の空間に綿棒が入っている。そして，使用時に押すなどして綿棒を消毒液に浸し，皮膚表面の創傷部や感染部位などを拭き取ることによって殺菌消毒を可能とするものである。
【０００６】
このような従来品は，使用時に手を汚すことがなく，また，製品の一つ一つが滅菌処理されているため，清潔かつ衛生的に使用することができるというメリットがある。
しかし，従来品は，その構造上，１回の使い切りとならざるを得ない。また，通常，消毒液が過剰に入っており，使用した後は余った消毒液を保存することもできないため使い切れないまま捨てざるを得ない。このような理由から，従来品は，１回当たりの使用コストが比較的高いものとなってしまいがちである。加えて，従来品においては，効果的かつ簡易な滅菌手法である高圧蒸気滅菌（オートクレーブ）を使うことができないため，放射線照射による滅菌を行なう必要があり，このことも，従来品のコストを押し上げる要因の一つとなっている。
【０００７】
上記事情を背景として，本発明では，従来の医療用殺菌消毒器具のデメリットを克服した，新たな医療用殺菌消毒器具の開発を課題とする。
【課題を解決するための手段】
【０００８】
発明者は，鋭意研究の結果，消毒液が入った消毒液容器と，皮膚表面の創傷部や感染部位などの拭き取りを行う拭き取り具，これらを分離させた新たな医療用殺菌消毒器具を着想し，本発明を完成させるに至った。
【０００９】
本発明に係る医療用殺菌消毒器具は，消毒液が入った消毒液容器と，皮膚表面の創傷部や感染部位などの拭き取りを行う拭き取り具，これら２つの構成要素からなり，それぞれ特殊な構造を有している。
すなわち，消毒液容器は，通常，密閉状態を保っており，高圧蒸気滅菌等によりその内圧が上昇しても蓋部が開放状態となることなく密閉状態を保つことが可能な構造を有している。さらに，消毒液容器は，拭き取り具に可逆的に結合可能であり，この結合によって蓋部（キャップ）の構造が変化して開放状態となる。そして，これにより，結合部分から拭き取り具に消毒液が浸潤し，皮膚表面の創傷部や感染部位などの殺菌消毒が可能となる。
【００１０】
本発明に係る医療用殺菌消毒器具は，以下の構成からなる。
本発明の第一の構成は，消毒液が入った消毒液容器と，皮膚表面の創傷部や感染部位などを拭き取る等して殺菌消毒を行なう拭き取り具と，からなり，前記消毒液容器と前記拭き取り具が嵌合等の可逆的結合手段により一体となって使用される医療用殺菌消毒器具であって，前記消毒液容器は，消毒液が入った容器部と，容器部内圧力が上昇しても開放状態となることがない蓋部と，からなり，前記拭き取り具は，把持部と，拭き取り部と，からなり，さらに，前記消毒液容器と前記拭き取り具は，それぞれ，相互に可逆的に結合可能な結合部を備え，前記結合部の結合によって前記蓋部の構造が変化して開放状態となり，前記容器部内の消毒液が前記拭き取り部へ浸潤することを特徴とする医療用殺菌消毒器具である。
【００１１】
本発明の第二の構成は，消毒液容器側の前記結合部（消毒容器結合部）は，円筒状ないし多角柱状に形成され，かつ，前記蓋部の先端面に当該蓋部と連通した状態で設けられ，前記蓋部は，消毒液容器結合部の内径部分に嵌入される円柱状ないし多角柱状の栓体本体と，前記栓体本体と一体に形成され，消毒液容器結合部の内径よりも大きい径を有する円板状ないし多角板状の係止部と，からなる栓体をさらに備え，拭き取り具側の前記結合部（拭き取り具結合部）は，消毒液容器結合部の外径と略同一の内径を有する円筒状ないし多角柱状に形成されると共に，当該拭き取り具結合部もしくはその内部に設けられた押圧部材により，消毒容器結合部と結合した際，栓体が外れ開放状態となり，消毒液が拭き取り部へと浸潤することを特徴とする第一の構成に記載の医療用殺菌消毒器具である。
【００１２】
本発明の第三の構成は，消毒容器結合部は，円筒状に形成され，かつ，前記蓋部の先端面に当該蓋部と連通した状態で設けられ，前記蓋部は，弾性部材によって消毒液容器側の前記結合部を塞ぐ方向に付勢された球状の栓体をさらに備え，拭き取り具結合部は，消毒液容器側の前記結合部の外径と略同一の内径を有する円筒状に形成されると共に，当該拭き取り具結合部もしくはその内部に設けられた押圧部材により，消毒容器結合部と結合した際，栓体が外れ開放状態となり，消毒液が拭き取り部へと浸潤することを特徴とする第一の構成に記載の医療用殺菌消毒器具である。
【００１３】
本発明の第四の構成は，第一から第三のいずれかの構成に記載の医療用殺菌消毒器具に用いられることを特徴とする消毒液容器である。
本発明の第五の構成は，第一から第三のいずれかの構成に記載の医療用殺菌消毒器具に用いられることを特徴とする拭き取り具である。
【発明の効果】
【００１４】
本発明により，従来の医療用殺菌消毒器具のデメリットを克服した，新たな医療用殺菌消毒器具の提供が可能となった。
【００１５】
本発明の医療用殺菌消毒器具の第一の構成によれば，消毒液が入った消毒液容器と，皮膚表面の創傷部や感染部位などを拭き取る等して殺菌消毒を行なう拭き取り具，これらが分離している。そのため，消毒液容器と拭き取り具を別々に在庫管理することが可能であり，病院等で用いる場合の在庫の減少が期待できる。
加えて，消毒液容器は，消毒液が入った容器部と，容器部内圧力が上昇しても開放状態となることがない蓋部とからなる。そのため，消毒液が入った消毒液容器に対して高圧蒸気滅菌を行なうことが可能であり，衛生的かつ経済的に使用することが可能な医療用殺菌消毒器具を提供することができる。
【００１６】
本発明の第二の構成によれば，蓋部が，消毒液容器側の結合部の内径部分に嵌入される円柱状の栓体本体と，前記栓体本体と一体に形成され，前記結合部の内径よりも大きい径を有する円板状などの係止部とからなる栓体をさらに備えていることにより，容器部内圧力が上昇しても，栓体が蓋部の外に飛び出すことはなく（蓋部が開放状態となることはなく），消毒液容器を密閉状態に保つことができる。また，消毒液容器結合部と拭き取り具結合部を結合させることにより，拭き取り具側結合部もしくは押圧部材が，消毒液容器結合部の内径部分に嵌入されている栓体本体を押圧して容器部内に押し出し，蓋部を開放状態にすることができる。
【００１７】
本発明の第三の構成によれば，蓋部が，弾性部材によって消毒液容器側の結合部を塞ぐ方向に付勢された球状の栓体をさらに備えていることにより，容器部内圧力が上昇しても，栓体が蓋部の外に飛び出すことはなく（蓋部が開放状態となることはなく），消毒液容器を密閉状態に保つことができる。また，消毒液容器結合部と拭き取り具結合部を結合させることにより，拭き取り具側結合部もしくは押圧部材が，消毒液容器結合部を塞いでいる前記栓体を弾性部材による付勢力に抗して容器部内に押しやり，蓋部を開放状態にすることができる。また，消毒液容器と拭き取り具との結合を外すことにより，栓体が弾性部材によって結合部を塞ぐ方向に付勢され，消毒液容器を密閉された状態にすることができる。このため，残った消毒液を消毒液容器内に保存しておくことができるし，必要に応じて，高圧蒸気滅菌を行うこともできる。従って，第三の構成によれば，消毒液が無くなるまで繰り返し使用することが可能な医療用殺菌消毒器具を提供することができる。
【図面の簡単な説明】
【００１８】
【図１】本発明の実施の形態１における医療用殺菌消毒器具の全体構成を示す側面図
【図２】本発明の実施の形態１における医療用殺菌消毒器具の構成要素である消毒液容器の構成を示す一部破断側面図
【図３】本発明の実施の形態１における医療用殺菌消毒器具の構成要素である拭き取り具の構成を示す平面図
【図４】図１のＩＶ−ＩＶ線一部破断側面図
【図５】本発明の実施の形態１における医療用殺菌消毒器具の使用方法を示す一部破断側面図（消毒液容器を拭き取り具に結合する前）
【図６】本発明の実施の形態１における医療用殺菌消毒器具の使用方法を示す一部破断側面図（消毒液容器を拭き取り具に結合した後）
【図７】本発明の実施の形態１における医療用殺菌消毒器具の使用状態を示す斜視図
【図８】本発明の実施の形態２における医療用殺菌消毒器具の構成要素である消毒液容器の構成を示す一部破断側面図
【図９】本発明の実施の形態２における医療用殺菌消毒器具の使用方法を示す一部破断側面図（消毒液容器を拭き取り具に結合する前）
【図１０】本発明の実施の形態２における医療用殺菌消毒器具の使用方法を示す一部破断側面図（消毒液容器を拭き取り具に結合した後）
【図１１】本発明の実施の形態２における試作例を示した図
【図１２】本発明の実施の形態２における試作例を示した図
【発明を実施するための形態】
【００１９】
以下，好適な実施の形態を用いて本発明をさらに具体的に説明する。但し，下記の実施の形態は本発明を具現化した例に過ぎず，本発明はこれに限定されるものではない。
【００２０】
［医療用殺菌消毒器具の概要］
本発明の医療用殺菌消毒器具は，消毒液容器と拭き取り具を必須の構成要素とする。
【００２１】
消毒液容器は，容器部と蓋部を必須の構成要素とする。消毒液容器は，これら必須の構成要素を有し，かつ，高圧蒸気滅菌が可能な素材である限り，特に限定されるものではなく，種々の形状ないし素材を採用することができる。このような素材としては，例えば，ポリプロピレンや高密度ポリエチレンなどが挙げられる。
【００２２】
容器部は，蓋部と可逆的又は不可逆的に結合し，消毒液を蓄えておく役割を有する。容器部は，このような役割を有するため，高圧蒸気滅菌が可能であるだけでなく，耐薬品腐食性の素材を用いる必要がある。このような素材としては，例えば，ポリプロピレンや高密度ポリエチレンなどが挙げられる。
容器部については，医療用途などに沿ってその容量を適宜設定することが可能であり，例えば，３から１００ｍＬ程度の容量とすることができる。
用いる消毒液は，医療現場で用いられる消毒液である限り，特に限定されるものではない。消毒液としては，例えば，ポビドン，エタノール，１％ヘキシジンエタノールなどが挙げられる。
【００２３】
蓋部は，可逆的又は不可逆的に容器部と結合するとともに，容器部内圧力が上昇しても密閉状態を保つ役割を有する。加えて，蓋部は，拭き取り具との可逆的結合により，構造が変化して密閉状態から開放状態となり，容器部内の消毒液を拭き取り具に導く役割を果たす。このような役割を果たす限り，蓋部は，種々の構成を採ることができる。これらの構成については，具体的な実施形態を挙げて後述する。
【００２４】
容器部と蓋部との可逆的又は不可逆的結合は，容器部内圧力の上昇に耐え得る結合様式である限り特に限定されるものではない。可逆的又は不可逆的結合としては，例えば，嵌合式やスクリュー式など，種々の結合様式を採用することができる。
【００２５】
拭き取り具は，把持部と拭き取り部を必須の構成要素とする。拭き取り具は，これら必須の構成要素を有する限り，特に限定されるものではなく，種々の構成ないし形状を採用することができる。また，拭き取り具については，高圧蒸気滅菌等の滅菌手法が可能な素材を用いるかどうかは任意であり，患者の皮膚等に直接触れることから，その全部もしくは一部を使い捨てとしてもよい。
【００２６】
把持部は，使用者が把持する部分として機能する。把持部は，この把持機能を果たす限り，特に限定されるものではなく，種々の形状を採用することができる。典型的には，図１に示すように，棒状の形状を有すればよい。
【００２７】
拭き取り部は，消毒液が浸潤することにより，皮膚表面の創傷部や感染部位などを拭き取るための機能を有する。拭き取り部は，この浸潤ならびに拭き取り機能を有する限り，特に限定されるものではなく，種々の構成を採用することができる。
拭き取り部において，直接創傷部などに接触する部分（拭き取り材）については，これら機能を考慮し，綿や布，スポンジなどの素材を用いることができる。これらの中でも，スポンジを用いることが好ましい。スポンジを用いれば，綿くずや糸くずなどが発生しない（リントフリー）ため，創傷部などをより衛生的に保つことが可能となる。
【００２８】
［実施形態１］
まず，本発明の実施形態１における医療用殺菌消毒器具の構成について，図１から図７を参照しながら説明する。
【００２９】
図１は，本発明の実施の形態１における医療用殺菌消毒器具の全体構成を示す側面図，図２は，当該医療用殺菌消毒器具の構成要素である消毒液容器の構成を示す一部破断側面図，図３は，当該医療用殺菌消毒器具の構成要素である拭き取り具の構成を示す平面図，図４は，図１のＩＶ−ＩＶ線一部破断側面図，図５は，当該医療用殺菌消毒器具の使用方法を示す一部破断側面図（消毒液容器を拭き取り具に結合する前），図６は，当該医療用殺菌消毒器具の使用方法を示す一部破断側面図（消毒液容器を拭き取り具に結合した後），図７は，当該医療用殺菌消毒器具の使用状態を示す斜視図である。
【００３０】
図１に示すように，本実施の形態の医療用殺菌消毒器具１は，消毒液が入った消毒液容器２と，皮膚表面の創傷部や感染部位などを拭き取る等して殺菌消毒を行なう拭き取り具３と，からなっている。そして，この医療用殺菌消毒器具１は，消毒液容器２と拭き取り具３が嵌合等の可逆的結合手段により一体となって使用される。
【００３１】
図１，図２に示すように，消毒液容器２は，消毒液が入った容器部２ａと，容器部２ａと可逆的又は不可逆的に結合された蓋部２ｂと，からなっている。蓋部２ｂは，円筒状に形成され，その基端部が容器部２ａの先端の低背円筒状の凸部４に嵌合されて結合されている。また，蓋部２ｂの先端面には，当該蓋部２ｂと連通する円筒状の結合部２ｃが形成されている。蓋部２ｂ内には，結合部２ｃを塞ぐ栓体７が設けられている。栓体７は，結合部２ｃの内径部分に嵌入される円柱状の栓体本体７ａと，栓体本体７ａと一体に形成され，結合部２ｃの内径よりも大きい径を有する円板状の係止部７ｂと，からなっている。このため，容器部内圧力が上昇しても，栓体７が蓋部２ｂの外に飛び出すことはなく（蓋部２ｂが開放状態となることはなく），消毒液容器２を密閉状態に保つことができる。
【００３２】
なお，ここでは蓋部２ｂが円筒状の実施態様を説明しているが，拭き取り具との不可逆的結合が可能である限り円筒状に限定する必要はなく，多角柱状などの形状であっても構わない。この場合，蓋部の形状に合うように，栓体の形状を変更すればよい。
【００３３】
図１，図３，図４に示すように，拭き取り具３は，把持部３ａと，拭き取り部３ｂと，からなっている。拭き取り部３ｂは，把持部３ａと一体に形成された拭き取り材保持部３ｄと，当該拭き取り材保持部３ｄの底面に保持された拭き取り材３ｅと，を備えている。拭き取り材３ｅとしては，綿や布，スポンジなどの素材を用いることができる。特に，スポンジを用いれば，綿くずや糸くずなどが発生しない（リントフリー）ため，創傷部などをより衛生的に保つことが可能となる。また，拭き取り材保持部３ｄの所定箇所には，消毒液を拭き取り材３ｅに浸潤させるための通路３ｆが形成されており，当該通路３ｆの直上に位置して，消毒液容器２側の結合部２ｃと結合させるための円筒状の結合部３ｃが形成されている。ここで，拭き取り具３側の結合部３ｃの外径は，消毒液容器２側の結合部２ｃの内径と略同一になっており，結合部２ｃを結合部３ｃに被せるようにして両者を結合させることにより，消毒液容器２を拭き取り具３に取り付けることができるようにされている。
【００３４】
なお，ここでは結合部３ｃが拭き取り部３ｂに設けられている例を示しているが，これに限定する必要はなく，結合部３ｃは把持部側に設けても構わない。この場合，把持部の内部に消毒液が通る浸潤通路を設ければよい。
【００３５】
結合部３ｃ内には，押圧部材３ｇが設けられており，当該押圧部材３ｇの先端は，結合部３ｃの先端面から若干突出している。
そして，図５，図６，図７に示すように，拭き取り具３の把持部３ａを右手で把持し，消毒液容器２を左手に持って，消毒液容器２側の結合部２ｃを拭き取り具３側の結合部３ｃに被せるようにして両者を結合すれば（図５の矢印Ｅ参照），消毒液容器２側の結合部２ｃの内径部分に嵌入されている栓体本体７ａが押圧部材３ｇによって押圧されて容器部２ａ内に押し出され，蓋部２ｂが開放状態となる。これにより，容器部２ａ内の消毒液が拭き取り具３側の結合部３ｃ及び通路３ｆを通って拭き取り材３ｅに浸潤する（図６の矢印Ｆ，Ｇ参照）。消毒液が拭き取り材３ｅに浸潤したら，拭き取り材３ｅを皮膚表面の創傷部や感染部位などに当てて拭き取る。
【００３６】
なお，ここでは栓体を外す一態様として押圧部材を例に挙げ説明を行ったが，これに限定する必要はない。すなわち，結合により栓体を外し消毒液容器を開放状態としつ，消毒液容器から消毒液が流れ込む隙間を生じさせるような種々の構成を採用することができる。一つの態様として，押圧部材を用いた態様であり，図５等では押圧部材３ｇは，棒状の部材（押圧ピン）として図示されているが，この形状ないし構成に限定する必要はなく，例えば平面板が並んだスリット状部材などが挙げられる。もしくは，拭き取り具結合部そのものにより栓体を外すような構成であり，この場合は，押圧部材そのものが不要となる。
【００３７】
本実施の形態の医療用殺菌消毒器具１の構成によれば，消毒液が入った消毒液容器２と，皮膚表面の創傷部や感染部位などを拭き取る等して殺菌消毒を行なう拭き取り具３と，が分離しており，消毒液容器２は，消毒液が入った容器部２ａと，容器部内圧力が上昇しても開放状態となることがない蓋部２ｂと，からなるため，消毒液が入った消毒液容器２に対して高圧蒸気滅菌を行なうことが可能である。従って，本実施の形態の医療用殺菌消毒器具１の構成によれば，衛生的に使用することが可能な医療用殺菌消毒器具を提供することができる。さらに，本実施の形態の医療用殺菌消毒器具１の構成によれば，消毒液容器２と拭き取り具３を別々に在庫管理することができるため，病院等で用いる場合の在庫の減少が期待できる。
【００３８】
なお，本実施の形態においては，蓋部２ｂが容器部２ａの先端に嵌合されて結合されている場合を例に挙げて説明したが，本発明は必ずしもこのような構成に限定されるものではない。容器部２ａと蓋部２ｂとの可逆的又は不可逆的結合は，容器部内圧力の上昇に耐え得る結合様式であれば，例えば，スクリュー式などの他の結合様式を採用することもできる。
【００３９】
［実施形態２］
次に，本発明の実施の形態２における医療用殺菌消毒器具の構成について，図１，図３，図４，図７のほか，図８から図１０をも参照しながら説明する。なお，本実施の形態の医療用殺菌消毒器具は，消毒液容器の蓋部の構造のみが上記実施の形態１の医療用殺菌消毒器具と異なるため，上記実施の形態１の医療用殺菌消毒器具と同一の構成要素には同一の参照符号を付し，それらの詳細な説明は省略する。
【００４０】
本発明の実施の形態２における医療用殺菌消毒器具の構成要素である消毒液容器の構成を示す一部破断側面図，図９は，当該医療用殺菌消毒器具の使用方法を示す一部破断側面図（消毒液容器を拭き取り具に結合する前），図１０は，当該医療用殺菌消毒器具の使用方法を示す一部破断側面図（消毒液容器を拭き取り具に結合した後）である。
【００４１】
図１，図８に示すように，消毒液容器２は，消毒液が入った容器部２ａと，容器部２ａと可逆的又は不可逆的に結合された蓋部２ｂと，からなっている。蓋部２ｂは，円筒状に形成され，その基端部が容器部２ａの先端の低背円筒状の凸部４に嵌合されて結合されている。また，蓋部２ｂの先端面には，当該蓋部２ｂと連通する円筒状の結合部２ｃが形成されている。蓋部２ｂ内には，結合部２ｃの内径よりも径の大きい球状の栓体５が配置されており，当該栓体５は，弾性部材６によって結合部２ｃの孔を塞ぐ方向に付勢されている。このため，容器部内圧力が上昇しても，栓体５が蓋部２ｂの外に飛び出すことはなく（蓋部２ｂが開放状態となることはなく），消毒液容器２を密閉状態に保つことができる。
【００４２】
本実施の形態の医療用殺菌消毒器具１においては，図７，図９，図１０に示すように，拭き取り具３の把持部３ａを右手で把持し，消毒液容器２を左手に持って，消毒液容器２側の結合部２ｃを拭き取り具３側の結合部３ｃに被せるようにして両者を結合すれば（図９の矢印Ａ参照），消毒液容器２側の結合部２ｃの孔を塞いでいる栓体５が弾性部材６による付勢力に抗して容器部２ａ内に押しやられ，蓋部２ｂが開放状態となる。これにより，容器部２ａ内の消毒液が拭き取り具３側の結合部３ｃ及び通路３ｆを通って拭き取り材３ｅに浸潤する（図１０の矢印Ｃ，Ｄ参照）。消毒液が拭き取り材３ｅに浸潤したら，拭き取り材３ｅを皮膚表面の創傷部や感染部位などに当てて拭き取る。
創傷部等を拭き取った後に，容器部２ａ内に消毒液が残ったら，消毒液容器２側の結合部２ｃと拭き取り具３側の結合部３ｃの結合を外す（図９の矢印Ｂ参照）。これにより，栓体５が弾性部材６によって結合部２ｃの孔を塞ぐ方向に付勢され，消毒液容器が密閉された状態となる。このため，残った消毒液を消毒液容器２内に保存しておくことができる。
【００４３】
本実施の形態の医療用殺菌消毒器具１の構成によれば，上記実施の形態１の医療用殺菌消毒器具１と同様の効果を奏することができる。また，本実施の形態の医療用殺菌消毒器具１の構成によれば，上記のように，残った消毒液を消毒液容器２内に保存しておくことができる。従って，本実施の形態の医療用殺菌消毒器具１の構成によれば，消毒液が無くなるまで繰り返し使用することが可能な医療用殺菌消毒器具を提供することができる。
【００４４】
［試作例］
図１１，１２に本発明の医療用殺菌消毒器具の試作例を示す。図に示すとおり，消毒液容器と拭き取り具からなっており，消毒液容器を拭き取り部に結合させることにより，消毒液が浸潤し，使用が可能となるものである。
【符号の説明】
【００４５】
１  医療用殺菌消毒器具
２  消毒液容器
２ａ  容器部
２ｂ  蓋部
２ｃ，３ｃ  結合部
３  拭き取り具
３ａ  把持部
３ｂ  拭き取り部
３ｅ  拭き取り材
３ｇ  押圧部材
５，７  栓体
６  弾性部材
７ａ  栓体本体
７ｂ  係止部
【図１】
2015226722.tif 000003
【図２】
2015226722.tif 000004
【図３】
2015226722.tif 000005
【図４】
2015226722.tif 000006
【図５】
2015226722.tif 000007
【図６】
2015226722.tif 000008
【図７】
2015226722.tif 000009
【図８】
2015226722.tif 000010
【図９】
2015226722.tif 000011
【図１０】
2015226722.tif 000012
【図１１】
2015226722.tif 000013
【図１２】
2015226722.tif 000014